【手続補正書】
【提出日】平成21年5月19日(2009.5.19)
【手続補正１】
【補正対象書類名】特許請求の範囲
【補正対象項目名】全文
【補正方法】変更
【補正の内容】
【特許請求の範囲】
【請求項１】
会議のスケジューリングの助けとするためのコンピュータ実施方法であって、
コンピュータユーザから１つまたは複数の会議パラメータを受信する行為と、
前記受信した、ユーザから提供された会議パラメータを使用して、複数の可能な会議時間を所定の１組の適切さの基準に対して自動的に評価する行為と、
前記評価に基づいて、複数の提案された会議時間を自動的に識別する行為と、
識別されたそれぞれの前記提案された会議時間についての望ましさの格付けを計算する行為であって、前記望ましさの格付けは、前記適切さの基準への適合性についてのそれぞれの会議時間のレベルに基づいて決定される行為と、
前記複数の提案された会議時間を、前記提案された会議時間の表示、並びに、少なくとも一部の前記提案された会議時間のそれぞれについての１組の入力基準に基づいて、どの部屋が各時間において使用可能なのか、および、何人の所望の出席者が各時間において出席可能なのかということを、表示された前記提案された会議時間のそれぞれについての提案品質グラフィックインジケータと共にディスプレイに出力する行為であって、前記提案品質インジケータは、複数の異なるグラフィックインジケータのうちの１つを含み、各グラフィックインジケータは、提案された会議時間のそれぞれについての評価された前記望ましさの格付けに対応する行為と、
前記会議パラメータになされる１つまたは複数の変更を示す前記コンピュータユーザからの後続の入力指示を受信する行為と、
前記ディスプレイ出力を更新して、前記ディスプレイ出力が、受信した前記変更を、前記会議パラメータ、並びに、１つまたは複数の更新された提案された可能な会議時間および前記提案された会議時間のそれぞれについての対応する更新された望ましさの格付けに反映する行為と
を含むことを特徴とするコンピュータ実施方法。
【請求項２】
前記複数の可能な会議時間を自動的に評価する前記行為は、前記複数の可能な会議時間のそれぞれについての望ましさの格付けを、前記所定の１組の適切さの基準の関数として計算する行為を含み、
前記評価に基づいて複数の提案された会議時間を自動的に識別する前記行為は、適切な会議時間を示す格付けを有する前記複数の可能な会議時間を、提案されたものとして識別する行為を含むことを特徴とする請求項１に記載のコンピュータ実施方法。
【請求項３】
適切な会議時間を示す格付けを有する前記複数の可能な会議時間を提案されたものとして識別する前記行為は、
前記複数の可能な会議時間を複数のカテゴリ分類のうちの１つに分類する行為であって、特定の格付け範囲内に含まれる各可能な会議時間は、前記特定の範囲に対応する特定のカテゴリ分類に割り当てられる行為と、
すべての可能な会議時間を、そのカテゴリ分類に基づいて提案されたものとして識別する行為とを含むことを特徴とする請求項２に記載のコンピュータ実施方法。
【請求項４】
前記望ましさの表示は、正の整数であり得る、前記提案された会議時間に関連する競合の数を含むことを特徴とする請求項１に記載のコンピュータ実施方法。
【請求項５】
前記望ましさの表示は、前記提案された会議時間に使用可能な部屋の数を含むことを特徴とする請求項４に記載のコンピュータ実施方法。
【請求項６】
前記複数の可能な会議時間のすべてを含む日付範囲に対応する複数の日のそれぞれに対応する日について適切さの表示を出力する行為をさらに含むことを特徴とする請求項１に記載のコンピュータ実施方法。
【請求項７】
前記会議パラメータは、前記出席者の表示、１つまたは複数の可能な会議場所および継続時間の識別を含むことを特徴とする請求項１に記載のコンピュータ実施方法。
【請求項８】
前記会議パラメータは、識別された各出席者が必須か、それとも任意かをさらに含むことを特徴とする請求項７に記載のコンピュータ実施方法。
【請求項９】
前記所定の１組の適切さの基準は、競合を有する前記出席者の数、および前記競合の範囲を含むことを特徴とする請求項１に記載のコンピュータ実施方法。
【請求項１０】
ディスプレイを含むコンピューティングシステムにおいて、直感的な会議スケジューリングを円滑に進めるための方法であって、
所定の１組の入力基準に対して、１つまたは複数のアクセスした会議パラメータを使用して、複数の可能な会議時間を評価する行為と、
前記コンピューティングシステムが、スケジュールされる前記会議についての複数の提案された会議時間にアクセスする行為と、
前記コンピューティングシステムが、識別された前記提案された会議時間のそれぞれについての望ましさの格付けを計算する行為であって、前記望ましさの格付けは、適切さの基準への適合性についてのそれぞれの会議時間のレベルに基づいて決定される行為と、
前記複数の提案された会議時間のそれぞれについての前記計算された望ましさの格付けにアクセスする行為であって、前記複数の提案された会議時間および提案された会議時間のそれぞれについての前記計算された望ましさの格付けは、コンピュータによって生成される行為と、
時間の表示、並びに、少なくとも一部の前記提案された会議時間のそれぞれについての一組の入力基準に基づいて、どの部屋がその時間において使用可能なのか、および、何人の所望の出席者がその時間において出席可能なのかということを、前記表示された提案された会議時間のそれぞれについての提案品質視覚的インジケータと共に表示する行為であって、前記提案品質インジケータは、複数の異なるインジケータのうちの１つを含み、各インジケータは、提案された会議時間のそれぞれについての前記評価された望ましさの格付けに対応する行為と、
前記会議パラメータになされる１つまたは複数の変更を示す前記コンピュータユーザからの後続の入力指示を受信する行為と、
前記ディスプレイ出力を更新して、前記ディスプレイ出力が、受信した前記変更を、前記会議パラメータ、並びに、１つまたは複数の更新された提案された可能な会議時間および前記提案された会議時間のそれぞれについての対応する更新された望ましさの格付けに反映する行為と
を含むことを特徴とする方法。
【請求項１１】
前記コンピューティングシステムが前記複数の提案された会議時間にアクセスする前に、ユーザ入力された前記会議の制約条件を検出する行為をさらに含むことを特徴とする請求項１０に記載の方法。
【請求項１２】
前記視覚的インジケータは、視覚的な強調であることを特徴とする請求項１０に記載の方法。
【請求項１３】
前記表示された提案された会議時間のそれぞれについて、
正の整数であり得る、前記提案された会議時間に関連する競合の数、および
前記提案された会議時間に使用可能な部屋の数のうちの少なくとも１つが表示されることを特徴とする請求項１０に記載の方法。
【請求項１４】
前記ディスプレイにカレンダを表示する行為と、
前記カレンダ内の複数の日のそれぞれに視覚的インジケータを付ける行為であって、各日についての前記視覚的インジケータは、前記会議の各日の適切さを表す行為とをさらに含むことを特徴とする請求項１０に記載の方法。
【請求項１５】
ユーザが前記カレンダ内の前記複数の日のうちの１つを選択したことを検出する行為をさらに含み、前記ディスプレイに、前記提案された会議時間の少なくとも一部のそれぞれについての時間の識別を表示する前記行為は、前記ディスプレイに、前記選択された日の中にある１つまたは複数の提案された会議時間についての時間の識別を表示する行為を含むことを特徴とする請求項１４に記載の方法。
【請求項１６】
前記望ましさの格付けは、所望の出席者のそれぞれに対応する重み付けされた競合の計算された合計を使用して評価されることを特徴とする請求項１０に記載の方法。
【請求項１７】
前記合計は、前記会議に出席するために必要な出席者の組合わされた重み付けを追加することによって生成されることを特徴とする請求項１６に記載の方法。
【請求項１８】
前記必要な出席者の競合は、前記出席者の競合の重複の継続時間にしたがって重み付けされることを特徴とする請求項１７に記載の方法。
【請求項１９】
前記望ましさの格付けは、係数として、所与の必要な出席者についての少なくとも１つの最大不都合さ係数および必要なすべての出席者にわたる全体の不都合さ係数を含むことを特徴とする請求項１７に記載の方法。
【請求項２０】
ディスプレイとユーザ入力装置とを含むコンピューティングシステムにおいて、電子会議要求を自動的に生成するための方法であって、
前記コンピューティングシステムが、１つまたは複数のアクセスした会議パラメータを使用して複数の可能な会議時間の評価の結果として提案された、スケジュールされる会議についての複数の提案された会議時間にアクセスし、前記複数の提案された会議時間のそれぞれについての評価された望ましさの格付けにアクセスする行為であって、前記複数の提案された会議時間および前記評価された望ましさの格付けは、コンピュータによって生成される行為と、
前記ディスプレイに、会議についての提案された会議時間の識別、並びに、少なくとも一部の前記提案された会議時間のそれぞれについての一組の入力基準に基づいて、どの部屋がその時間において使用可能なのか、および、何人の所望の出席者がその時間において出席可能なのかということを表示する行為であって、前記提案された会議時間は、前記表示された提案された会議時間のそれぞれについての提案品質視覚的インジケータに関連付けられ、前記提案品質インジケータは、複数の異なるインジケータのうちの１つを含み、各インジケータは、前記提案された会議時間についての前記評価された望ましさの格付けに対応する行為と、
ユーザが前記ユーザ入力装置を使用して前記提案された会議時間を選択したことを検出する行為と、
電子会議要求を、前記時間、出席者、および前記選択された会議時間についての少なくとも１つのリソースで自動的に埋める行為と
前記会議パラメータになされる１つまたは複数の変更を示す前記コンピュータユーザからの後続の入力指示を受信する行為と、
前記ディスプレイ出力を更新して、前記ディスプレイ出力が、受信した前記変更を、前記会議パラメータ、並びに、１つまたは複数の更新された提案された可能な会議時間および前記提案された会議時間のそれぞれについての対応する更新された望ましさの格付けに反映する行為と
を含むことを特徴とする方法。
【請求項２１】
ディスプレイを含むコンピューティングシステムにおいて、直感的な会議スケジューリングを円滑に進めるための方法であって、
所定の１組の入力基準に対して、１つまたは複数のアクセスした会議パラメータを使用して、複数の可能な会議時間を評価する行為であって、前記評価結果は、評価された望ましさの格付けを含み、前記格付けは、会議時間と共に、表示のための複数の異なる望ましさのレベルを含む行為と、
前記コンピューティングシステムが、スケジュールされる会議についての複数の提案された会議時間にアクセスし、前記複数の提案された会議時間のそれぞれについての前記評価された望ましさの格付けにアクセスする行為であって、前記複数の提案された会議時間および前記評価された望ましさの格付けは、コンピュータによって生成され、かつ、その時間に出席することができる招待された会議参加者の数の組合せ、その時間に使用可能な部屋の数、および、その時間に使用可能な要求されたリソースに基づく行為と、
アプリケーションウィンドウの第１の位置に、時間の識別、並びに、少なくとも一部の前記提案された会議時間のそれぞれについての一組の入力基準に基づいて、どの部屋がその時間において使用可能なのか、および、何人の所望の出席者がその時間において出席可能なのかということを、表示された前記提案された会議時間のそれぞれについての提案品質視覚的インジケータと共にディスプレイに出力する行為であって、前記提案品質インジケータは、複数の異なる視覚的インジケータのうちの１つを含み、各インジケータは、前記提案された会議時間についての前記評価された望ましさの格付けに対応し、さらに、前記アプリケーションウィンドウの第２の位置に、所望の会議出席者として識別されたユーザの指示および所望の会議室として識別された部屋の指示を表示する行為と、
前記会議パラメータになされる１つまたは複数の変更を示す前記コンピュータユーザからの後続の入力指示を受信する行為と、
前記ディスプレイ出力を更新して、前記ディスプレイ出力が、受信した前記変更を、前記会議パラメータ、並びに、１つまたは複数の更新された提案された可能な会議時間および前記提案された会議時間のそれぞれについての対応する更新された望ましさの格付けに反映する行為と
を含むことを特徴とする方法。